(57)【要約】【課題】透過原稿に描かれた文字や画像を画像データとして取得することができないという課題がある。【解決手段】ＬＥＤ２０とイメージセンサー２２を内部に備える第１の筐体と、ＬＥＤ２１とイメージセンサー２３とを内部に備える第２筐体と、第１の筐体と第２の筐体とを回動可能に連結し、第１の筐体と第２の筐体が閉じた状態と、開いた状態とを設定できる連結部と、ＬＥＤ２０，２１およびイメージセンサー２２，２３を用いて原稿の読み取りを実行させる制御部３０であって、ＬＥＤ２０とイメージセンサー２２とを用いて、または／およびＬＥＤ２１とイメージセンサー２３とを用いて原稿の読み取りを実行させる第１の制御モードと、ＬＥＤ２１とイメージセンサー２２とを用いて原稿の読み取りを実行させる第２の制御モードとを有する制御部３０と、を備える画像読み取り装置としてのスキャナー１を提供する。【選択図】図３
2010206347.tif 000002
【特許請求の範囲】
【請求項１】
第１の発光部と第１の受光部とを内部に備え、一つの面を透明な第１の原稿台で構成する第１の筐体と、
第２の発光部と第２の受光部とを内部に備え、一つの面を透明な第２の原稿台で構成する第２の筐体と、
前記第１の筐体と前記第２の筐体とを回動可能に連結し、前記第１の原稿台と前記第２の原稿台とが閉じた状態と、前記第１の原稿台と前記第２の原稿台とが開いた状態とを設定できる連結部と、
前記発光部および前記受光部を用いて原稿の読み取りを実行させる読み取り制御部であって、前記第１の発光部と前記第１の受光部とを用いて、または／および前記第２の発光部と前記第２の受光部とを用いて原稿の読み取りを実行させる第１の制御モードと、前記第２の発光部と前記第１の受光部とを用いて原稿の読み取りを実行させる第２の制御モードとを有する読み取り制御部と、を備える画像読み取り装置。
【請求項２】
請求項１に記載の画像読み取り装置であって、
前記開いた状態での前記第１の原稿台と前記第２の原稿台の平面で形成される角度は、１８０度以上であることを特徴とする画像読み取り装置。
【請求項３】
第１の発光部と第１の受光部とを内部に備え、一つの面を透明な第１の原稿台で構成する第１の筐体と、
第２の発光部と第２の受光部とを内部に備え、一つの面を透明な第２の原稿台で構成する第２の筐体と、
前記第１の筐体と前記第２の筐体とを回動可能に連結し、前記第１の原稿台と前記第２の原稿台とが閉じた状態と、前記第１の原稿台と前記第２の原稿台とが開いた状態とを設定できる連結部と、
前記発光部および前記受光部を用いて原稿の読み取りを実行させる読み取り制御部であって、前記第１の発光部と前記第１の受光部とを用いて、または／および前記第２の発光部と前記第２の受光部とを用いて原稿の読み取りを実行させる第１の制御モードと、前記第２の発光部と前記第１の受光部とを用いて原稿の読み取りを実行させる第２の制御モードとを有する読み取り制御部と、
原稿が非透過原稿である場合に前記第１の制御モードを指定し、原稿が透過原稿である場合に前記第２の制御モードを指定するモード指定部と、を備える画像読み取りシステム。
【発明の詳細な説明】
【技術分野】
【０００１】
本発明は、画像読み取り装置および画像読み取りシステムに関する。
【背景技術】
【０００２】
透明のガラス板などの原稿台に接触する紙などの反射原稿に、原稿台側から発光部によって照射し、反射された光を受光部によって読み取り、原稿に描かれた文字や画像を画像データとして取得する画像読み取り装置としてのスキャナーが使用される。
例えば、特許文献１では、装置の小型化を目的として、発光部と受光部がそれぞれ備えられた２組のスキャナーユニットをヒンジで連結し、２組のスキャナーユニットにおける原稿台が閉じた状態または開いた状態で、反射原稿に描かれた文字や画像を画像データとして取得するスキャナーが提案されている。
【先行技術文献】
【特許文献】
【０００３】
【特許文献１】特開２００８−６６９６１号公報
【発明の概要】
【発明が解決しようとする課題】
【０００４】
しかしながら、このようなスキャナーは、写真フィルムやＯＨＰシートなどの透過原稿に描かれた文字や画像を画像データとして取得することができないという課題がある。
【課題を解決するための手段】
【０００５】
本発明は、上述の課題の少なくとも一部を解決するためになされたものであり、以下の形態または適用例として実現することが可能である。
【０００６】
［適用例１］第１の発光部と第１の受光部とを内部に備え、一つの面を透明な第１の原稿台で構成する第１の筐体と、第２の発光部と第２の受光部とを内部に備え、一つの面を透明な第２の原稿台で構成する第２の筐体と、前記第１の筐体と前記第２の筐体とを回動可能に連結し、前記第１の原稿台と前記第２の原稿台とが閉じた状態と、前記第１の原稿台と前記第２の原稿台とが開いた状態とを設定できる連結部と、前記発光部および前記受光部を用いて原稿の読み取りを実行させる読み取り制御部であって、前記第１の発光部と前記第１の受光部とを用いて、または／および前記第２の発光部と前記第２の受光部とを用いて原稿の読み取りを実行させる第１の制御モードと、前記第２の発光部と前記第１の受光部とを用いて原稿の読み取りを実行させる第２の制御モードとを有する読み取り制御部と、を備える画像読み取り装置。
【０００７】
この構成によれば、連結部によって第１の原稿台と第２の原稿台とが開いた状態または閉じた状態で、第１の制御モードによって、反射原稿における画像の読み取りができる。また、連結部によって第１の原稿台と第２の原稿台とが閉じた状態で、第２の制御モードによって、透過原稿における画像の読み取りができる。
【０００８】
［適用例２］前記開いた状態での前記第１の原稿台と前記第２の原稿台の平面で形成される角度は、１８０度以上であることを特徴とする上記画像読み取り装置。
【０００９】
この構成によれば、本が綴じられる部分が第１の原稿台と第２の原稿台に当接する面積を広くすることができる。これにより、本が綴じられる部分に描かれた文字や画像が歪んだ状態で画像データとして取得されることを抑制できる。
【００１０】
［適用例３］第１の発光部と第１の受光部とを内部に備え、一つの面を透明な第１の原稿台で構成する第１の筐体と、第２の発光部と第２の受光部とを内部に備え、一つの面を透明な第２の原稿台で構成する第２の筐体と、前記第１の筐体と前記第２の筐体とを回動可能に連結し、前記第１の原稿台と前記第２の原稿台とが閉じた状態と、前記第１の原稿台と前記第２の原稿台とが開いた状態とを設定できる連結部と、前記発光部および前記受光部を用いて原稿の読み取りを実行させる読み取り制御部であって、前記第１の発光部と前記第１の受光部とを用いて、または／および前記第２の発光部と前記第２の受光部とを用いて原稿の読み取りを実行させる第１の制御モードと、前記第２の発光部と前記第１の受光部とを用いて原稿の読み取りを実行させる第２の制御モードとを有する読み取り制御部と、原稿が非透過原稿である場合に前記第１の制御モードを指定し、原稿が透過原稿である場合に前記第２の制御モードを指定するモード指定部と、を備える画像読み取りシステム。
【００１１】
この構成によれば、原稿が非透過原稿である反射原稿の場合に第１の制御モードを指定し、原稿が透過原稿である場合に第２の制御モードを指定するモード指定部を備える。これにより、反射原稿または透過原稿における画像の読み取りが可能となる。
【図面の簡単な説明】
【００１２】
【図１】画像読み取り装置としてのスキャナーの外観斜視図。
【図２】キャリッジに備えられたＬＥＤとイメージセンサーを示す図。
【図３】画像読み取りシステムの電気的な構成を示すブロック図。
【図４】（ａ）は、透過原稿を読み取るときの模式図、（ｂ）、（ｃ）は、反射原稿を読み取るときの模式図。
【図５】透過原稿を読み取るときのプログラムにおけるフローチャート。
【図６】原稿台が閉じた状態で透過原稿を読み取るときに動作させる発光部と受光部を示す図。
【図７】反射原稿を読み取るときの第２の制御モードの処理におけるプログラムのフローチャート。
【図８】反射原稿を読み取るときに動作させる発光部と受光部を示す図。
【図９】原稿台が開いた状態で反射原稿を読み取るとき、動作させる発光部と受光部を示す図。
【図１０】第２実施例におけるスキャナーが、開いた状態の本を読み取る様子を説明する図。
【図１１】連結部としてのヒンジが回動する軸方向を長手方向とするイメージセンサーを備えたスキャナーの外観斜視図。
【発明を実施するための形態】
【００１３】
（第１実施例）
以下、本実施例について図を用いて説明する。図１は、本実施例における画像読み取りシステムを構成する画像読み取り装置としてのスキャナー１の外観斜視図である。第１の筐体としての筐体２の図面正面の開放部には、ガラス板などの透明な板状の材質から形成された第１の原稿台としての原稿台８が備えられる。第２の筐体としての筐体３の図面上側の開放部には、原稿台８と同じ材質から形成された第２の原稿台としての原稿台９が備えられる。
【００１４】
筐体２と筐体３とは、ヒンジ１０によって連結される。そのため、筐体２と筐体３は、ヒンジ１０を支点として回動し、原稿台８の面と原稿台９の面によって形成される角度Ｒが変化する。原稿台８の面と原稿台９の面は、閉じ状態と、開いた状態とに設定することができる。
【００１５】
原稿台８の図面背面側となる筐体２の内部には、キャリッジ４、ガイド軸６が備えられる。原稿台９の図面下側となる筐体３の内部には、キャリッジ５、ガイド軸７が備えられる。ガイド軸６，７は、長手方向を方向Ｄ１にして筐体２，３にそれぞれ備えられる。キャリッジ４，５は、長手方向を方向Ｄ１と直角方向にしてガイド軸６，７にそれぞれ備えられる。
【００１６】
図２は、キャリッジ４，５に備えられたＬＥＤとイメージセンサーを示す図である。図２は、図１の方向Ｄ２方向から見たキャリッジ４と、図１の方向Ｄ３方向から見たキャリッジ５の図である。駆動ベルト１１，１２にそれぞれ固定されたキャリッジ４，５は、それぞれの筐体内部に備えられたステッピングモーター（不図示）の駆動により、ガイド軸６，７に沿って方向Ｄ１に移動する。
【００１７】
キャリッジ４には、第１の発光部としてのＬＥＤ２０と第１の受光部としてのイメージセンサー２２が備えられ、キャリッジ５には、第２の発光部としてのＬＥＤ２１と第２の受光部としてのイメージセンサー２３が備えられる。イメージセンサー２２，２３は、方向Ｄ２，Ｄ３にそれぞれ並ぶ複数の受光素子、ＭＯＳトランジスタなどから構成される。
【００１８】
図３は、本実施例の画像読み取りシステム３００の電気的な構成を示すブロック図である。画像読み取りシステム３００は、スキャナー１とパーソナルコンピュータ（ＰＣ）７０とから構成される。スキャナー１における点灯部４７は、ＬＥＤ２０，２１を点灯させる回路である。センサー駆動部４３は、イメージセンサー２２，２３を駆動させるための駆動パルスを出力する駆動回路である。モーター駆動部４４は、ステッピングモーター４５を駆動させる回路である。
【００１９】
画像形成部４０は、ＡＦＥ（アナログフロントエンド）部４２、デジタル画像処理部４１から構成される。ＡＦＥ部４２は、アナログ信号処理部（不図示）、Ａ／Ｄ変換部（不図示）などから構成される。アナログ信号処理部は、イメージセンサー２２，２３から出力される電気信号に対して増幅、雑音低減等のアナログ信号処理等を施して出力する回路である。Ａ／Ｄ変換部は、アナログ信号処理部から出力された電気信号を所定ビット長のデジタル表現の出力信号に量子化して出力する回路である。
【００２０】
デジタル画像処理部４１は、ＡＦＥ部４２から出力された出力信号に対し、ガンマ補正、画素補間法による欠陥画素の補間、シェーディング補正、画像信号の鮮鋭化、色空間変換等の画像処理を行う回路である。
【００２１】
制御部３０は、ＣＰＵ３１、ＲＯＭ３３、ＲＡＭ３４から構成される。ＲＯＭ３３は、各種のプログラムやデータを記憶しているメモリーであり、ＲＡＭ３４は、各種のプログラムやデータを一時的に記憶しているメモリーである。ＣＰＵ３１は、ＲＯＭ３３からプログラムをＲＡＭ３４に読み出して実行し、スキャナー１の各部を制御する。
【００２２】
制御部３０は、ＬＥＤ２０，２１のうちの発光対象となるＬＥＤを指定し、点灯部４７に指示する。点灯部４７は、指示されたＬＥＤを点灯する。また、制御部３０は、イメージセンサー２２，２３のうちの駆動対象となるイメージセンサーを指定し、センサー駆動部４３に指示する。センサー駆動部４３は、指定されたイメージセンサーを駆動させる。  
【００２３】
スキャナー１には、ＰＣ７０がインターフェース（Ｉ／Ｆ）４６を介して接続される。ＰＣ７０には、スキャナー１が原稿から画像を読み取るときの解像度、読み取り領域、透過原稿や非透過原稿である反射原稿を示す原稿の種類、原稿の読み取る面側などを指定するプログラムとしてのスキャナードライバーがモード指定部７１としてインストールされている。制御部３０は、モード指定部７１としてのスキャナードライバーによって指示された解像度、読み取り領域、原稿の種類、原稿の読み取る面側などの指定に基づいて形成された画像データを、ＰＣ７０側にＩ／Ｆ４６を介して送信する。
【００２４】
図４（ａ）は、図１の方向Ｄ１における図面右側方向から見た図で、スキャナー１が写真フィルムやＯＨＰシートなどの透過原稿Ｓ１を読み取るときの模式図である。図４（ａ）のスキャナー１は、原稿台８と原稿台９が閉じた状態にあり、透過原稿Ｓ１は、原稿台８と原稿台９に挟まれた状態にある。
【００２５】
図４（ｂ）は、図１の方向Ｄ１における図面右側方向から見た図で、スキャナー１が紙などの光を透過しない記録媒体に文字や画像が印刷された反射原稿Ｓ２を読み取るときの模式図である。図４（ｂ）のスキャナー１は、原稿台８と原稿台９が閉じた状態にあり、反射原稿Ｓ２は、原稿台８と原稿台９に挟まれた状態にある。
【００２６】
図４（ｃ）は、図１の方向Ｄ１における図面右側方向から見た図で、スキャナー１が反射原稿Ｓ３を読み取るときの模式図である。反射原稿Ｓ３における図面左右方向の長さは、反射原稿Ｓ２より長い。図４（ｃ）のスキャナー１は、原稿台８と原稿台９が開いた状態にあり、反射原稿Ｓ３における図面右側が原稿台８に置かれ、図面左側が原稿台９に置かれた状態にある。
【００２７】
次に、制御部３０が、画像を読み取るときの処理方法について説明する。図５は、透過原稿Ｓ１を読み取るときのプログラムにおけるフローチャートである。図６（ａ）、（ｂ）は、原稿台８と原稿台９が閉じた状態で（図４（ａ）参照）透過原稿を読み取るときに動作させる発光部と受光部を示す図である。白く塗られた四角形は点灯または駆動としての動作をしていることを示し、黒く塗られた四角形は動作していないことを示す。矢印は、発光部から受光部への光線を示す。
【００２８】
プログラムを実行する前の初期状態においては、ＬＥＤ２０，２１、イメージセンサー２２，２３は動作していない。
【００２９】
図５のステップＳ１００では、原稿が透過原稿Ｓ１であるか反射原稿Ｓ２，Ｓ３であるかを判断する。本実施例では、ＰＣ７０にインストールされたモード指定部７１としてのスキャナードライバーから指示された原稿の種類によって判断する。
【００３０】
スキャナードライバーから指示された原稿の種類が透過原稿Ｓ１ではなく（Ｎｏ）、反射原稿Ｓ２，Ｓ３であるときは、制御部３０は、反射原稿の読み取り処理ステップＳ２００に進み、第１の制御モードの処理を行う。透過原稿Ｓ１であるときは（Ｙｅｓ）、制御部３０は、ステップＳ１１０に進み、第２の制御モードの処理を行う。ステップＳ１１０では、図３の制御部３０は、第１の発光部としてのＬＥＤ２０を指定し、点灯部４７に指示する。すると、点灯部４７により、図６（ａ）に示すように、ＬＥＤ２０は動作する。
【００３１】
ステップＳ１２０では、制御部３０は、第２の受光部としてのイメージセンサー２３を指定し、センサー駆動部４３に指示する。すると、センサー駆動部４３により、図６（ａ）に示すように、イメージセンサー２３は動作する。
【００３２】
制御部３０は、ステップＳ１１０で、第２の発光部としてのＬＥＤ２１を指定し、点灯部４７に指示し、ステップＳ１２０で、第１の受光部としてのイメージセンサー２２を指定し、センサー駆動部４３に指示することにより、図６（ｂ）に示すように、ＬＥＤ２１とイメージセンサー２２を動作せるようにしてもよい。
【００３３】
このように、閉じた状態で透過原稿Ｓ１を読み取るとき、制御部３０は、筐体２と筐体３のうち、一方の筐体に備えられたＬＥＤと、他方の筐体に備えられたイメージセンサーを指定する。
【００３４】
図７は、反射原稿Ｓ２，Ｓ３を読み取るときの第２の制御モードの処理におけるプログラムのフローチャートである。図８（ａ）、（ｂ）、（ｃ）は、原稿台８と原稿台９が閉じた状態で（図４（ｂ）参照）、反射原稿Ｓ２，Ｓ３を読み取るときに動作させる発光部と受光部を示す図である。図８（ａ）は、原稿台８側の面と原稿台９側の面を読み取る場合、図８（ｂ）は、原稿台８側の面を読み取る場合、図８（ｃ）は、原稿台９側の面を読み取る場合である。
【００３５】
ステップＳ２１０では、制御部３０は、反射原稿Ｓ２における原稿台８側の面、原稿台９側の面の両面を読み取るか否かを判断する。本実施例では、スキャナードライバーから指示された内容に基づいて判断する。両面を読み取るときは（Ｙｅｓ）、ステップＳ２２０に進む。両面ではなく（Ｎｏ）、片面を読み取るときは、ステップＳ２４０に進む。
【００３６】
ステップＳ２２０では、制御部３０は、第１の発光部としてのＬＥＤ２０と第２の発光部としてのＬＥＤ２１を指定し、点灯部４７に指示する。すると、点灯部４７により、図８（ａ）に示すように、ＬＥＤ２０，２１が動作する。
【００３７】
ステップＳ２３０では、制御部３０は、第１の受光部としてのイメージセンサー２２と第２の受光部としてのイメージセンサー２３を指定し、センサー駆動部４３に指示する。すると、センサー駆動部４３により、図８（ａ）に示すように、イメージセンサー２２，２３が動作する。
【００３８】
ステップＳ２４０では、スキャナードライバーからの指示に基づいて、原稿台８側を読み取るか否かを判断する。原稿台８側を読み取るときは（Ｙｅｓ）、ステップＳ２５０に進む。原稿台８側を読み取らず（Ｎｏ）、原稿台９側を読み取るときは、ステップＳ２７０に進む。
【００３９】
ステップＳ２５０では、制御部３０は、第１の発光部としてのＬＥＤ２０を指定し、点灯部４７に指示する。すると、点灯部４７により、図８（ｂ）に示すように、ＬＥＤ２０が動作する。
【００４０】
ステップＳ２６０では、制御部３０は、第１の受光部としてのイメージセンサー２２を指定し、センサー駆動部４３に指示する。すると、センサー駆動部４３により、図８（ｂ）に示すように、イメージセンサー２２が動作する。
【００４１】
ステップＳ２７０では、制御部３０は、第２の発光部としてのＬＥＤ２１を指定し、点灯部４７に指示する。すると、点灯部４７により、図８（ｃ）に示すように、ＬＥＤ２１が動作する。
【００４２】
ステップＳ２８０では、制御部３０は、第２の受光部としてのイメージセンサー２３を指定し、センサー駆動部４３に指示する。すると、センサー駆動部４３により、図８（ｃ）に示すように、イメージセンサー２３が動作する。
【００４３】
図９（ａ）、（ｂ）、（ｃ）は、原稿台８と原稿台９を開いた状態で反射原稿Ｓ３を読み取るとき（図４（ｃ）参照）、動作させる受光部と発光部を示す図である。スキャナー１には、原稿台８，９に置かれた反射原稿Ｓ３の周囲からの光線を遮断するためのカバー（不図示）が備えられる。
【００４４】
図９（ａ）は、原稿台８，９に置かれた反射原稿Ｓ３を読み取るときを示し、図９（ｂ）は、原稿台８に置かれた反射原稿Ｓ３を読み取るときを示し、図９（ｃ）は、原稿台９に置かれた反射原稿Ｓ３を読み取るときを示す図である。
【００４５】
原稿台８と原稿台９を開いた状態で反射原稿Ｓ３を読み取るときの処理のプログラムにおけるフローチャートは、図７に示したフローチャートと同じである。原稿台８と原稿台９を開いた状態で反射原稿Ｓ３を読み取るとき、図７のステップＳ２１０では、原稿台８に置かれた面か原稿台９に置かれた面のうちの両面を読み取るか否かによって判断する。
【００４６】
スキャナードライバーの指示により、両面を読み取るときは（Ｙｅｓ）、ステップＳ２２０に進む。両面を読み取らずに（Ｎｏ）、片側の面を読み取るときはステップＳ２４０に進む。
【００４７】
スキャナードライバーの指示により、原稿台８側の面を読み取るときは（Ｙｅｓ）、ステップＳ２５０に進む。原稿台８側の面を読み取らずに（Ｎｏ）、原稿台９側の面を読み取るときはステップＳ２７０に進む。
【００４８】
このように、閉じた状態で反射原稿Ｓ２を読み取ったり、または開いた状態で反射原稿Ｓ３を読み取ったりする場合に、原稿台８，９に当接する両面を読み取るときは、両方の筐体である筐体２，３に備えられたＬＥＤとイメージセンサーを指定する。一方、原稿台８，９に当接する両面のうちの片面のみを読み取るときは、読み取ろうとする原稿台が備えられた筐体のみに備えられたＬＥＤとイメージセンサーを指定する。すなわち、閉じた状態または開いた状態で反射原稿を読み取る場合、少なくとも一方の筐体に備えられたＬＥＤとイメージセンサーを指定する。
【００４９】
以上、本実施例で説明した画像読み取り装置としてのスキャナー１は、第１の発光部としてのＬＥＤ２０と第１の受光部としてのイメージセンサー２２を内部に備え、一つの面を透明な第１の原稿台としての原稿台８で構成する第１の筐体としての筐体２と、第２の発光部としてのＬＥＤ２１と第２の受光部としてのイメージセンサー２３とを内部に備え、一つの面を透明な第２の原稿台としての原稿台９で構成する第２の筐体としての筐体３と、筐体２と筐体３とを回動可能に連結し、原稿台８と原稿台９とが閉じた状態と、原稿台８と原稿台９とが開いた状態とを設定できる連結部としてのヒンジ１０と、ＬＥＤ２０，２１およびイメージセンサー２２，２３を用いて原稿の読み取りを実行させる読み取り制御部としての制御部３０とを備える。
【００５０】
制御部３０が実行する第１の制御モードでは、ＬＥＤ２０とイメージセンサー２２、またはＬＥＤ２１とイメージセンサー２３を用いて原稿の読み取りを実行させる（図８（ｂ）、（ｃ）、図９（ｂ）、（ｃ）参照）。あるいは、第１の制御モードは、ＬＥＤ２０とイメージセンサー２２およびＬＥＤ２１とイメージセンサー２３を用いて原稿の読み取りを実行させる（図８（ａ）、図９（ａ）、参照）。
【００５１】
制御部３０が実行する第２の制御モードでは、ＬＥＤ２０とイメージセンサー２３とを用いて原稿の読み取りを実行させる（図６（ａ）参照）。あるいは、第２の制御モードでは、ＬＥＤ２１とイメージセンサー２２とを用いて原稿の読み取りを実行させる（図６（ｂ）参照）。
【００５２】
この構成によれば、ヒンジ１０によって原稿台８と原稿台９とが閉じた状態で、第１の制御モードによって、非透過原稿である反射原稿Ｓ２における画像を画像データとして取得することができる。また、ヒンジ１０によって原稿台８と原稿台９とが開いた状態で、第１の制御モードによって、反射原稿Ｓ３における画像の読み取りができる。また、ヒンジ１０によって原稿台８と原稿台９とが閉じた状態で、第２の制御モードによって、透過原稿Ｓ１における画像を画像データとして取得することができる。
【００５３】
また、スキャナー１とＰＣ７０とから構成される画像読み取りシステム３００は、第１の発光部としてのＬＥＤ２０と第１の受光部としてのイメージセンサー２２を内部に備え、一つの面を透明な第１の原稿台としての原稿台８で構成する第１の筐体としての筐体２と、第２の発光部としてのＬＥＤ２１と第２の受光部としてのイメージセンサー２３とを内部に備え、一つの面を透明な第２の原稿台としての原稿台９で構成する第２の筐体としての筐体３と、筐体２と筐体３とを回動可能に連結し、原稿台８と原稿台９とが閉じた状態と、原稿台８と原稿台９とが開いた状態とを設定できる連結部としてのヒンジ１０と、ＬＥＤ２０，２１およびイメージセンサー２２，２３を用いて原稿の読み取りを実行させる読み取り制御部としての制御部３０であって、ＬＥＤ２０とイメージセンサー２２とを用いて、または／およびＬＥＤ２１とイメージセンサー２３とを用いて原稿の読み取りを実行させる第１の制御モードと、ＬＥＤ２１とイメージセンサー２２とを用いて原稿の読み取りを実行させる第２の制御モードとを有する読み取り制御部としての制御部３０と、原稿が非透過原稿である反射原稿の場合に第１の制御モードを指定し、原稿が透過原稿である場合に第２の制御モードを指定するモード指定部７１と、を備える。
【００５４】
この構成によれば、反射原稿または透過原稿における画像を画像データとして取得することが可能となる。
【００５５】
（第２実施例）
第２実施例では、開いた状態での第１の原稿台と第２の原稿台の平面で形成される角度Ｒが１８０度以上であるスキャナーについて説明する。図１０は、本実施例におけるスキャナー１ａが、開いた状態の本８０を読み取る様子を説明する図である。
【００５６】
本実施例のスキャナー１ａは、第１実施例で図３を用いて説明したＬＥＤ２０，２１、点灯部４７、イメージセンサー２２，２３、センサー駆動部４３、ステッピングモーター４５、モーター駆動部４４、画像形成部４０、制御部３０、Ｉ／Ｆ４６を備える。
【００５７】
図１０に示すように、スキャナー１ａの原稿台８ａ，９ａには、開かれた状態の本８０が置かれる。スキャナー１ａには、原稿台８ａ，９ａに置かれた本８０の周囲からの光線を遮断するためのカバー５０が備えられる。
【００５８】
本８０が閉じられる部分８１には、凹形状が形成される。また、本８０には、太い実線で示される厚紙が備えられており、本８０が開かれた状態において、原稿台８ａ，９ａにそれぞれ当接する図面両側の面を水平にすることが容易ではない。
【００５９】
スキャナー１ａは、第１の筐体としての筐体２ａと第２の筐体としての筐体３ａとを連結する連結部としてのヒンジ１０ａを備え、ヒンジ１０ａによって、第１の原稿台としての原稿台８ａと第２の原稿台としての原稿台９ａの平面で形成される角度Ｒが１８０度以上に設定することができる。
【００６０】
このようにすることにより、本８０が綴じられる部分８１が原稿台８ａ，９ａに当接する面積を広くすることができる。これにより、本８０が綴じられる部分８１に描かれた文字や画像が歪んだ状態で画像データとして取得されることを抑制できる。
【００６１】
また、本８０を強制的に水平の状態に開こうとしないので、製本された本８０の状態が劣化してしまうことを抑制することができる。
【００６２】
図１１は、ヒンジ１０が回動する軸方向である方向Ｄ１を長手方向とするキャリッジ４ｂ，５ｂを備えたスキャナー１ｂの外観斜視図である。スキャナー１ｂにおけるキャリッジ４ｂ，５ｂは、ガイド軸６ｂ，７ｂに沿って方向Ｄ１と直角方向Ｄ４に移動する。第１実施例、第２実施例では、直角方向Ｄ４に複数のイメージセンサー２２，２３が配列されたスキャナー１，１ａであったが、本発明は、複数のイメージセンサー（不図示）が方向Ｄ１に配列されたスキャナー１ｂにも適用する。
【００６３】
また、第１実施例、第２実施例では、第１の発光部、第２の発光部はＬＥＤによって構成されていたが、第１の発光部、第２の発光部は蛍光ランプによって構成されてもよい。
【符号の説明】
【００６４】
１，１ａ，１ｂ…スキャナー、２，３…筐体、８，９…原稿台、１０，１０ａ…ヒンジ、２０，２１…ＬＥＤ、２２，２３…イメージセンサー、３０…制御部、７１…モード指定部、３００…画像読み取りシステム、Ｒ…原稿台８，９の面によって形成される角度、Ｓ１…透過原稿、Ｓ２，Ｓ３…反射原稿。
【図１】
2010206347.tif 000003
【図２】
2010206347.tif 000004
【図３】
2010206347.tif 000005
【図４】
2010206347.tif 000006
【図５】
2010206347.tif 000007
【図６】
2010206347.tif 000008
【図７】
2010206347.tif 000009
【図８】
2010206347.tif 000010
【図９】
2010206347.tif 000011
【図１０】
2010206347.tif 000012
【図１１】
2010206347.tif 000013